(57)【特許請求の範囲】
【請求項１】
内底面に複数の固定接点を並設した上面開放の箱形のケースと、中央部に開口孔を有しケースの上面を覆うカバーと、ケース内に上下動可能に収納されカバーの開口孔から突出する操作部を有するノブと、ノブ下面に両端が各々揺動可能に係合保持され、折曲部近傍の摺動部が上記ケース内底面に弾接し、ノブの上下動によりケース内底面を弾接摺動して固定接点と接離する略コの字状の弾性金属薄板製の接触片からなるプッシュスイッチ。
【請求項２】
接触片に固定接点と接離するアーム状の可動接点部を設けた請求項１記載のプッシュスイッチ。
【請求項３】
カバーに代えて、ケース上端面の内側壁にノブ本体部の上面が当接する突出部を設けた請求項１または２記載のプッシュスイッチ。
【発明の詳細な説明】
【０００１】
【発明の属する技術分野】
本発明は、各種電子機器に使用されるプッシュスイッチに関するものである。
【０００２】
【従来の技術】
従来のプッシュスイッチについて、図８及び図９を用いて説明する。
【０００３】
図８は従来のプッシュスイッチの断面図であり、同図において、１は樹脂からなる上面開放の箱形のケースで、その内底面には、固定接点２と保持体３が植設されている。
【０００４】
そして、４は中央部に開口孔４Ａを有しケース１の上面を覆うカバー、５はケース１内に上下方向に摺動可能に収納されたノブで、ケース１とカバー４は各々側面に設けた係合爪１Ａと係合孔４Ｂによってスナップフィット結合され、ノブ５の操作部５Ａがカバー４の開口孔４Ａから上方に突出している。
【０００５】
また、６は図中の右端部が可動接点６Ａとなった弾性金属薄板製の接触片で、その同左端部の支点部６Ｂが保持体３の図中の左面の係止部３Ａに係止されると共に、中間部に設けられた弾性舌片６Ｃがやや撓んだ状態で先端部を保持体３の同右面の係止部３Ｂに係止されることによって、同右端の可動接点６Ａ側が上方に付勢されてノブ５を上方に押し上げている。
【０００６】
上記構成において、カバー４の開口孔４Ａから突出したノブ５の操作部５Ａを、図９に示すように図中の下方向へ押圧操作すると、ノブ５の下面に同右端部を押圧された接触片６が保持体３の係止部３Ａを支点として回動し、弾性舌片６Ｃがさらに撓んだ後、可動接点６Ａの先端が固定接点２に押し付けられることによって、接触片６を介して固定接点２と保持体３が電気的に接続される。
【０００７】
また、ノブ５の操作部５Ａに対する押圧力を解除すると、弾性舌片６Ｃの弾性復帰力によって接触片６及びノブ５が図８の押圧前の位置に復帰し、可動接点６Ａの先端も固定接点２から離れて電気的にＯＦＦとなる。
【０００８】
【発明が解決しようとする課題】
しかしながら上記従来のプッシュスイッチにおいては、弾性金属薄板製の接触片６と一体になった弾性舌片６Ｃの弾性力によって固定接点２との電気的接離を行っているため、この弾性舌片６Ｃに応力が集中してスイッチとしての長寿命化を図ることが困難であると共に、可動接点６Ａと固定接点２との確実な電気的接離及び所定の大きさの操作力を得ようとすると、接触片６の弾性舌片６Ｃをある程度大きな形状とすることが必要であり、スイッチ全体の小形化が図りづらいという課題があった。
【０００９】
本発明はこのような従来の課題を解決するものであり、スイッチとしての長寿命化が図れる小形のプッシュスイッチを提供することを目的とする。
【００１０】
【課題を解決するための手段】
上記課題を解決するために本発明のプッシュスイッチは、ノブ下面に略コの字状の接触片の両端を各々揺動可能に係合保持し、ノブの押圧操作によって接触片の折曲部近傍の摺動部をケース内底面に弾接摺動させて固定接点と接離するように構成したものである。
【００１１】
この本発明により、小形で長寿命の安価なプッシュスイッチを得ることができる。
【００１２】
【発明の実施の形態】
本発明の請求項１に記載の発明は、内底面に複数の固定接点を並設した上面開放の箱形のケースと、中央部に開口孔を有しケースの上面を覆うカバーと、ケース内に上下動可能に収納されカバーの開口孔から突出する操作部を有するノブと、ノブ下面に両端が各々揺動可能に係合保持され、折曲部近傍の摺動部が上記ケース内底面に弾接し、ノブの上下動によりケース内底面を弾接摺動して固定接点と接離する略コの字状の弾性金属薄板製の接触片からなる構成のプッシュスイッチとしたもので、略コの字状の接触片全体を撓ませ、この弾性力によって複数の固定接点間の電気的接離を行うため、接触片に局部的な応力が発生する部分がなくスイッチとしての長寿命化が図れると共に、接触片を小さな形状にすることができるためにスイッチの小形化が図れ、安価なプッシュスイッチを得ることができるという作用を有する。
【００１３】
請求項２に記載の発明は、請求項１記載の発明において、接触片に固定接点と接離するアーム状の可動接点部を設けた構成としたもので、このアーム状の可動接点部がケース内底面を弾接摺動して固定接点との電気的接離を行うことによって、可動接点部の固定接点への弾接力を接触片が撓む弾性力とは別に設定することが可能になるため、スイッチの使用される電圧電流や周囲の環境等に合わせて、可動接点部の固定接点への最適な弾接力を設定することができ、スイッチの電気的な信頼性を高めることができるという作用を有する。
【００１４】
請求項３に記載の発明は、請求項１または２記載の発明において、カバーに代えて、ケース上端面の内側壁にノブ本体部の上面が当接する突出部を設けた構成としたもので、この突出部によってノブ本体部のケースからの飛び出しを防止できるため、カバーが不要となり使用部品数を削減できると共に、スイッチの組立て作業を簡素化できるという作用を有する。
【００１５】
以下、本発明の実施の形態について、図１〜図７を用いて説明する。
なお、従来の技術の項で説明した構成と同一構成の部分には同一符号を付して、詳細な説明を省略する。
【００１６】
（実施の形態１）
図１は本発明の第１の実施の形態によるプッシュスイッチの断面図であり、同図において、１は樹脂からなる上面開放の箱形のケースで、その内底面には図２の上面図に示すように、固定接点１２と１３が並設されている。
【００１７】
そして、４は中央部に開口孔４Ａを有しケース１の上面を覆うカバー、１４はケース１内に上下方向に摺動可能に収納されたノブで、操作部１４Ａがカバー４の開口孔４Ａから上方に突出している。
【００１８】
また、１５は図３の斜視図に示すような略コの字状の弾性金属薄板製の接触片であり、一端に設けた保持孔１５Ａがノブ１４下面の突部１４Ｂに設けた突起１４Ｃに嵌まり、他端に設けた凸部１５Ｂが突起１４Ｃとは反対側の凹部１４Ｄに当接し、両端で突部１４Ｂを挟み付けて各々揺動可能にノブ１４下面に係合保持されると共に、下方の折曲部近傍の摺動部１５Ｃがケース１の内底面に弾接している。
【００１９】
上記構成において、カバー４の開口孔４Ａから突出したノブ１４の操作部１４Ａを、図４に示すように下方向へ押圧操作すると、ノブ１４下面の突起１４Ｃと凹部１４Ｄに係合保持された保持孔１５Ａと凸部１５Ｂの両端が揺動して接触片１５全体が撓むと同時に、下方の折曲部近傍の摺動部１５Ｃがケース１の内底面上を図中の右方向へ弾接摺動し、摺動部１５Ｃが固定接点１２と１３に弾接することによって、接触片１５を介して固定接点１２と１３が電気的に接続される。
【００２０】
そして、ノブ１４の操作部１４Ａの押圧力を解除すると、接触片１５の弾性復帰力によってノブ１４が図１の押圧前の位置に復帰すると共に、摺動部１５Ｃもケース１の内底面上を図中の左方向へ弾接摺動して、固定接点１２と１３から離れ、電気的にＯＦＦとなる。
【００２１】
このように本実施の形態によれば、両端がノブ１４下面に揺動可能に係合保持された接触片１５全体を撓ませることによって、固定接点１２と１３の電気的接離を行うように構成されているため、接触片１５に局部的な応力が発生する部分がなくスイッチとしての長寿命化が図れると共に、接触片１５を小さな形状にすることができるためにスイッチの小形化が図れ、安価なプッシュスイッチを得ることができる。
【００２２】
また、接触片１５の摺動部１５Ｃが固定接点１２と１３上を弾接摺動して電気的接離を行うため、押圧操作の度に摺動部１５Ｃと固定接点１２，１３の当接部がセルフクリーニングされ、電気的に安定した接触抵抗を得ることもできる。
【００２３】
（実施の形態２）
図５は本発明の第２の実施の形態によるプッシュスイッチの断面図、図６は同接触片の斜視図である。
【００２４】
同図において、略コの字状の弾性金属薄板製の接触片１６が、一端に設けた保持孔１６Ａがノブ１４下面の突部１４Ｂの突起１４Ｃに嵌まり、他端に設けた凸部１６Ｂが凹部１４Ｄに当接して、両端で突部１４Ｂを挟み付けて各々揺動可能にノブ１４下面に係合保持されると共に、折曲部近傍の摺動部１６Ｃが内底面に固定接点１２と１３を並設したケース１の内底面に弾接していることは実施の形態１と同様であるが、接触片１６の両側にはアーム状の可動接点部１６Ｄと１６Ｅが設けられ、各々の先端が摺動部１６Ｃと共にケース１の内底面に弾接している。
【００２５】
上記構成において、ノブ１４の操作部１４Ａを下方向へ押圧操作すると、接触片１６の保持孔１６Ａと凸部１６Ｂの両端が揺動して接触片１６全体が撓むと同時に、折曲部近傍の摺動部１６Ｃがケース１の内底面上を右方向へ弾接摺動することは実施の形態１と同様であるが、接触片１６全体が撓むのに伴って、その両側に設けたアーム状の可動接点部１６Ｄと１６Ｅもケース１の内底面上を右方向へ弾接摺動し、固定接点１２と１３との電気的接離はこの可動接点部１６Ｄと１６Ｅによって行われる。
【００２６】
このように本実施の形態によれば、固定接点１２と１３との電気的接離を接触片１６の両側に設けたアーム状の可動接点部１６Ｄと１６Ｅにより行うことによって、可動接点部１６Ｄと１６Ｅの固定接点１２と１３への弾接力を、接触片１６が撓む弾性力とは別に設定することが可能になるため、スイッチの使用される電圧電流や周囲の環境等に合わせて、可動接点部１６Ｄと１６Ｅの最適な弾接力を設定することができ、プッシュスイッチの電気的な信頼性を高めることができる。
【００２７】
（実施の形態３）
図７は本発明の第３の実施の形態によるプッシュスイッチの断面図であり、同図において、ケース１７上端面の内側壁には突出部１７Ａが設けられ、この突出部１７Ａにノブ１４本体部の上面が当接して、ケース１７内にノブ１４が収納されている。
【００２８】
このプッシュスイッチの組立て方法について説明すると、内底面に固定接点１２と１３を並設したケース１７に、上面開口部から下面に接触片１５を係合保持したノブ１４を挿入すると、ケース１７のヒンジ部１７Ｂがノブ１４の下面のテーパ部１４Ｅに押し開かれて一旦外方に開き、ケース１７内にノブ１４が収納されるとケース１７の弾性力によってヒンジ部１７Ｂが元に戻って、ノブ１４の上面に突出部１７Ａが当接してプッシュスイッチが完成する。
【００２９】
このように本実施の形態によれば、ケース１７上面の内側壁に設けた突出部１７Ａにノブ１４本体部の上面を当接させてケース１７内にノブ１４を収納しているため、ケース１７上面を覆うカバーが不要となり使用部品数を削減できると共に、接触片１５を保持したノブ１４をケース１７にワンタッチで収納できるため、プッシュスイッチの組立て作業の簡素化を図ることができる。
【００３０】
【発明の効果】
以上のように本発明によれば、小形で長寿命の安価なプッシュスイッチを得ることができるという有利な効果が得られる。
【図面の簡単な説明】
【図１】本発明の第１の実施の形態によるプッシュスイッチの断面図
【図２】同ケースの上面図
【図３】同接触片の斜視図
【図４】同動作を説明する断面図
【図５】本発明の第２の実施の形態によるプッシュスイッチの断面図
【図６】同接触片の斜視図
【図７】本発明の第３の実施の形態によるプッシュスイッチの断面図
【図８】従来のプッシュスイッチの断面図
【図９】同動作を説明する断面図
【符号の説明】
１，１７  ケース
４  カバー
４Ａ  開口孔
１２，１３  固定接点
１４  ノブ
１４Ａ  操作部
１４Ｂ  突部
１４Ｃ  突起
１４Ｄ  凹部
１４Ｅ  テーパ部
１５，１６  接触片
１５Ａ，１６Ａ  保持孔
１５Ｂ，１６Ｂ  凸部
１５Ｃ，１６Ｃ  摺動部
１６Ｄ，１６Ｅ  可動接点部
１７Ａ  突出部
１７Ｂ  ヒンジ部
【図１】
0003885298.tif 000002
【図２】
0003885298.tif 000003
【図３】
0003885298.tif 000004
【図４】
0003885298.tif 000005
【図５】
0003885298.tif 000006
【図６】
0003885298.tif 000007
【図７】
0003885298.tif 000008
【図８】
0003885298.tif 000009
【図９】
0003885298.tif 000010